(57)【特許請求の範囲】
【請求項１】
表示画面を有する表示手段と、
前記表示画面を閲覧する使用者の頭部を撮影可能な撮影手段と、
使用者により行われた操作の情報を入力する入力手段と、
前記入力手段により入力された情報に基づいて、前記撮影手段による撮影画像における使用者の髪色及びヘアスタイルのうち少なくとも一方を加工した加工画像を生成し、生成した加工画像を前記表示画面に表示するシミュレーション処理を、前記入力手段により所定の開始情報が入力されたことを契機に実行する制御手段と、
を備えるヘアシミュレーション装置であって、
前記制御手段は、
前記シミュレーション処理を実行していない状態において、前記撮影手段の撮影画像から前記表示画面を閲覧している閲覧者を検索する検索処理と、
前記検索処理で閲覧者が検索されたことを契機に、前記撮影手段による撮影画像における閲覧者の髪色及びヘアスタイルのうち少なくとも一方を加工した加工画像を生成し、生成した加工画像を前記表示画面に表示する加工画像自動表示処理と、を更に実行すること
を特徴とするヘアシミュレーション装置。
【請求項２】
請求項１に記載のヘアシミュレーション装置であって、
前記検索処理において、前記撮影手段の撮影画像を前記表示画面に表示すること
を特徴とするヘアシミュレーション装置。
【請求項３】
請求項２に記載のヘアシミュレーション装置であって、
前記検索処理において、前記撮影手段の撮影画像上に、位置及び内容のうち少なくとも一方が経時的に変化する画像を重畳して、前記表示画面に表示すること
を特徴とするヘアシミュレーション装置。
【請求項４】
請求項１から請求項３までのいずれか１項に記載のヘアシミュレーション装置であって、
前記加工画像自動表示処理において、前記加工画像として、前記撮影手段による撮影画像における閲覧者の髪色を加工した加工画像を生成すること
を特徴とするヘアシミュレーション装置。
【請求項５】
請求項１から請求項４までのいずれか１項に記載のヘアシミュレーション装置であって、
前記検索処理において、前記撮影手段の撮影画像から顔認識処理により閲覧者を検索すること
を特徴とするヘアシミュレーション装置。
【請求項６】
請求項１から請求項５までのいずれか１項に記載のヘアシミュレーション装置であって、
前記入力手段は、前記表示画面上に設けられたタッチパネルであること
を特徴とするヘアシミュレーション装置。
【請求項７】
請求項１から請求項６までのいずれか１項に記載のヘアシミュレーション装置であって、
前記シミュレーション処理は、
使用者自身のヘアスタイルに基づくシミュレーションと、使用者自身のヘアスタイルとは異なるヘアスタイルに基づくシミュレーションとを含む複数のコースの中から、使用者が希望するコースを選択させる処理と、
選択されたコースに従い髪色及びヘアスタイルのうち少なくとも一方を加工する処理と、を含むこと
を特徴とするヘアシミュレーション装置。
【請求項８】
請求項１から請求項７までのいずれか１項に記載のヘアシミュレーション装置であって、
前記シミュレーション処理は、
髪色及びヘアスタイルのうち少なくとも一方の選択候補の中から使用者に合ったものを選択するための判断基準となる情報を使用者に入力させる処理と、
入力された情報に従い絞り込んだ選択候補を使用者に提示する処理と、を含むこと
を特徴とするヘアシミュレーション装置。
【請求項９】
請求項１から請求項８までのいずれか１項に記載のヘアシミュレーション装置であって、
前記シミュレーション処理の結果に関する情報を使用者の携帯電話機へ送信する通信手段を更に備えること
を特徴とするヘアシミュレーション装置。
【請求項１０】
表示画面を有する表示手段と、
前記表示画面を閲覧する使用者の頭部を撮影可能な撮影手段と、
使用者により行われた操作の情報を入力する入力手段と、
を備えるコンピュータを、
前記入力手段により入力された情報に基づいて、前記撮影手段による撮影画像における使用者の髪色及びヘアスタイルのうち少なくとも一方を加工した加工画像を生成し、生成した加工画像を前記表示画面に表示するシミュレーション処理を、前記入力手段により所定の開始情報が入力されたことを契機に実行するシミュレーション制御手段、
前記シミュレーション処理を実行していない状態において、前記撮影手段の撮影画像から前記表示画面を閲覧している閲覧者を検索する検索処理を実行する検索制御手段、及び、
前記検索処理で閲覧者が検索されたことを契機に、前記撮影手段による撮影画像における閲覧者の髪色及びヘアスタイルのうち少なくとも一方を加工した加工画像を生成し、生成した加工画像を前記表示画面に表示する加工画像自動表示処理を実行する加工画像自動表示制御手段
として機能させることを特徴とするヘアシミュレーションプログラム。
【発明の詳細な説明】
【技術分野】
【０００１】
本発明は、髪色やヘアスタイルなどをシミュレーションするためのヘアシミュレーション装置に関する。
【背景技術】
【０００２】
従来、例えばヘアサロンなどにおいて、顧客が新しい髪色やヘアスタイルをシミュレーションするためのヘアシミュレーション装置が知られている（特許文献１，２参照）。この種のヘアシミュレーション装置は、顧客の頭部（例えば肩から上の部分）を撮影し、その撮影画像における髪色やヘアスタイルを加工した加工画像を生成して、表示画面に表示する。したがって、髪色やヘアスタイルを実際に変更する前に、変更後のイメージを顧客自身が確認することができる。
【先行技術文献】
【特許文献】
【０００３】
【特許文献１】特表２００５−５０２１０７号公報
【特許文献２】特開２００８−３７２４号公報
【発明の概要】
【発明が解決しようとする課題】
【０００４】
しかしながら、ヘアシミュレーション装置は、顧客にとっては利用機会が少ないものであり、ヘアサロンなどに設置されていたとしても気が付かれにくく、仮に気が付かれたとしても興味を持たれにくいため、結果として使用されないことが多い。このため、ヘアシミュレーション装置によるサービス提供者（例えばヘアサロンの店員など）が、顧客に対して使用を促す必要があった。
【０００５】
本発明は、こうした問題にかんがみてなされたものであり、ヘアシミュレーションの使用を効果的に促すことのできるヘアシミュレーション装置を提供することを目的としている。
【課題を解決するための手段】
【０００６】
上記目的を達成する請求項１に記載のヘアシミュレーション装置は、表示画面を有する表示手段と、表示画面を閲覧する使用者の頭部を撮影可能な撮影手段と、使用者により行われた操作の情報を入力する入力手段と、入力手段により入力された情報に基づいて、撮影手段による撮影画像における使用者の髪色及びヘアスタイルのうち少なくとも一方を加工した加工画像を生成し、生成した加工画像を表示画面に表示するシミュレーション処理を、入力手段により所定の開始情報が入力されたことを契機に実行する制御手段とを備える。
【０００７】
そして、制御手段は、シミュレーション処理を実行していない状態において、撮影手段の撮影画像から表示画面を閲覧している閲覧者を検索する検索処理と、検索処理で閲覧者が検索されたことを契機に、撮影手段による撮影画像における閲覧者の髪色及びヘアスタイルのうち少なくとも一方を加工した加工画像を生成し、生成した加工画像を表示画面に表示する加工画像自動表示処理とを更に実行する。
【０００８】
このようなヘアシミュレーション装置によれば、シミュレーション処理を実行していない状態において、表示画面を閲覧している閲覧者についての加工画像が表示画面に表示されるため、閲覧者の興味を喚起することができ、その結果、ヘアシミュレーションの使用を促すことができる。
【０００９】
また、請求項２に記載のヘアシミュレーション装置では、検索処理において、撮影手段の撮影画像を表示画面に表示する。このようなヘアシミュレーション装置によれば、表示画面に何も表示しない場合や固定の情報を表示する場合と比較して、表示画面が閲覧されやすくなるという効果が得られる。
【００１０】
特に、請求項３に記載のように、検索処理において、撮影手段の撮影画像上に、位置及び内容のうち少なくとも一方が経時的に変化する画像を重畳して、表示画面に表示するようにすれば、単に撮影画像を表示する場合と比較して、表示画面が更に閲覧されやすくなるという効果が得られる。
【００１１】
また、請求項４に記載のヘアシミュレーション装置では、加工画像自動表示処理において、加工画像として、撮影手段による撮影画像における閲覧者の髪色を加工した加工画像を生成する。このようなヘアシミュレーション装置によれば、加工画像の生成を比較的簡単な処理で実現することができる。すなわち、所定の開始情報が入力されたことを契機に実行するシミュレーション処理では、使用者により行われた操作の情報に基づいて加工画像を生成するため、加工画像の生成に適した撮影画像が得られるように使用者に指示することが可能である。これに対し、加工画像自動表示処理では、表示画面を無意識に閲覧した閲覧者の撮影画像を元に加工画像を生成する必要があるため、複雑な加工を行おうとすると処理負荷が大きくなり、処理装置に高い性能が要求されることになる。この点、髪色の加工であれば比較的簡単な処理で実現できるため、処理装置のコストを抑えることができる。
【００１２】
また、請求項５に記載のヘアシミュレーション装置では、検索処理において、撮影手段の撮影画像から顔認識処理により閲覧者を検索する。このようなヘアシミュレーション装置によれば、周知の顔認識処理を利用することで、閲覧者を容易に検索することができる。
【００１３】
また、請求項６に記載のヘアシミュレーション装置では、入力手段は、表示画面上に設けられたタッチパネルである。このようなヘアシミュレーション装置によれば、使用者が直感的に操作しやすくすることができる。
【００１４】
また、請求項７に記載のヘアシミュレーション装置では、シミュレーション処理は、使用者自身のヘアスタイルに基づくシミュレーションと、使用者自身のヘアスタイルとは異なるヘアスタイルに基づくシミュレーションとを含む複数のコースの中から、使用者が希望するコースを選択させる処理と、選択されたコースに従い髪色及びヘアスタイルのうち少なくとも一方を加工する処理とを含む。このようなヘアシミュレーション装置によれば、各コースを別々の装置で行う場合と比較して、利便性を向上させることができる。
【００１５】
また、請求項８に記載のヘアシミュレーション装置では、シミュレーション処理は、髪色及びヘアスタイルのうち少なくとも一方の選択候補の中から使用者に合ったものを選択するための判断基準となる情報を使用者に入力させる処理と、入力された情報に従い絞り込んだ選択候補を使用者に提示する処理とを含む。このようなヘアシミュレーション装置によれば、使用者が髪色やヘアスタイルの選択に迷う場合にも、使用者に適した選択を行わせることができる。
【００１６】
また、請求項９に記載のヘアシミュレーション装置は、シミュレーション処理の結果に関する情報を使用者の携帯電話機へ送信する通信手段を更に備える。このようなヘアシミュレーション装置によれば、使用者は、シミュレーション結果に関する情報を携帯電話機で確認することができる。
【００１７】
次に、請求項１０に記載のヘアシミュレーションプログラムは、表示画面を有する表示手段と、表示画面を閲覧する使用者の頭部を撮影可能な撮影手段と、使用者により行われた操作の情報を入力する入力手段とを備えるコンピュータを、入力手段により入力された情報に基づいて、撮影手段による撮影画像における使用者の髪色及びヘアスタイルのうち少なくとも一方を加工した加工画像を生成し、生成した加工画像を表示画面に表示するシミュレーション処理を、入力手段により所定の開始情報が入力されたことを契機に実行するシミュレーション制御手段、シミュレーション処理を実行していない状態において、撮影手段の撮影画像から表示画面を閲覧している閲覧者を検索する検索処理を実行する検索制御手段、及び、検索処理で閲覧者が検索されたことを契機に、撮影手段による撮影画像における閲覧者の髪色及びヘアスタイルのうち少なくとも一方を加工した加工画像を生成し、生成した加工画像を表示画面に表示する加工画像自動表示処理を実行する加工画像自動表示制御手段として機能させる。
【００１８】
このようなヘアシミュレーションプログラムによれば、請求項１に記載のヘアシミュレーション装置としてコンピュータを機能させることができ、これにより前述した効果を得ることができる。
【図面の簡単な説明】
【００１９】
【図１】実施形態のヘアシミュレーション装置のブロック図である。
【図２】制御装置が実行する処理のフローチャートである。
【図３】（ａ）は閲覧者を検索中の表示画面の一例を示す図、（ｂ）は閲覧者が検索された状態での表示画面の一例を示す図、（ｃ）は閲覧者の加工画像が表示された表示画面の一例を示す図である。
【発明を実施するための形態】
【００２０】
以下、本発明が適用された実施形態について、図面を用いて説明する。
図１は、実施形態のヘアシミュレーション装置１０のブロック図である。このヘアシミュレーション装置１０は、タッチパネル付表示装置１１、カメラ１２、記憶装置１３、音声出力装置１４、無線通信ポート１５、赤外線通信装置１６及び制御装置１７を備える。なお、これらのハードウェア構成は、例えば汎用のパーソナルコンピュータ及び周辺機器によって実現することができる。
【００２１】
タッチパネル付表示装置１１は、表示画面を有する表示装置（例えば液晶ディスプレイ）と、その表示画面上に設けられたタッチパネルとが一体になったものである。つまり、本実施形態のヘアシミュレーション装置１０は、使用者により行われた操作（タッチ操作）の情報をタッチパネルで入力する。
【００２２】
カメラ１２は、撮影画像のデジタルデータを出力するデジタル式の撮影装置（例えばＣＣＤカメラ）であり、表示画面を閲覧する使用者の頭部を含む部分を正面から撮影可能な位置（本実施形態では表示画面の上部位置）に配置されている。
【００２３】
記憶装置１３は、データの読み出し及び書き込みが可能な不揮発性メモリ（例えばハードディスク装置）であり、ヘアシミュレーションソフトウエア（プログラム）が記憶（インストール）されている。
【００２４】
音声出力装置１４は、スピーカ、オーディオアンプなどから構成され、ガイド音声等を出力する。
無線通信ポート１５は、携帯電話機と無線通信を行うためのポートであり、本実施形態では、ＦｅｌｉＣａ（登録商標）ポートが用いられる。なお、ＦｅｌｉＣａ機能を有する汎用（市販）の携帯電話機へＦｅｌｉＣａポートを介してデータを送信する技術は公知である（大日本印刷株式会社製の情報配信端末機「プチポルタ」）。
【００２５】
赤外線通信装置１６は、携帯電話機と赤外線通信を行うための装置である。なお、赤外線通信機能を有する汎用（市販）の携帯電話機へ赤外線通信でデータを送信する技術も公知である。
【００２６】
制御装置１７は、ＣＰＵ、ＲＯＭ、ＲＡＭ等を備え、ヘアシミュレーション装置１０の各部を統括制御する。
次に、ヘアシミュレーション装置１０の管理者によって、前述したヘアシミュレーションソフトウエアの起動操作が行われることにより、制御装置１７（具体的にはＣＰＵ）が実行する処理について、図２のフローチャートを用いて説明する。
【００２７】
ヘアシミュレーションソフトウエアが起動されると、制御装置１７は、まず、タッチパネル付表示装置１１の表示画面に設定画面を表示する（Ｓ１０１）。ここでいう設定画面とは、ヘアシミュレーション装置１０の管理者が各種初期設定を行うための画像のことであり、管理者は、タッチパネルのタッチ操作により設定を行う。
【００２８】
この設定画面での設定が終了すると、制御装置１７は、図３（ａ）に示すように、カメラ１２の撮影画像及びキャラクタ画像Ｃを表示画面に表示しつつ、撮影画像から閲覧者を検索する処理を行う（Ｓ１０２）。この処理について具体的に説明する。
【００２９】
カメラ１２の撮影画像は、短い周期（例えば１秒間に複数回の周期）で取得されて表示されるため、表示画面には動画として表示される。そして、その撮影画像上に、キャラクタ画像（本実施形態では妖精のアニメーション画像）Ｃを重畳して表示する。このキャラクタ画像Ｃは、表示画面において所定のパターンで（本実施形態では撮影画像上を舞うように）移動するとともに、移動方向に応じて画像の内容（本実施形態では右向き、左向き等）が変化するように表示される。この状態で、制御装置１７は、カメラ１２の撮影画像から表示画面を閲覧している閲覧者を、顔認識処理により検索する。
【００３０】
そして、制御装置１７は、撮影画像から閲覧者が検索されたか否かを判定し（Ｓ１０３）、閲覧者が検索されない間は顔認識処理を継続する（Ｓ１０３：ＮＯ）。なお、撮影画像から顔が認識されない場合に閲覧者が存在しないと判定し、図３（ｂ）に示すように顔が認識された場合に閲覧者が存在する（その顔の人物が閲覧者である）と判定する。
【００３１】
撮影画像から閲覧者が検索されると（Ｓ１０３：ＹＥＳ）、制御装置１７は、その撮影画像における閲覧者の髪色を、あらかじめ決められた色に加工した加工画像を生成し、図３（ｃ）に示すように、生成した加工画像（静止画）を表示画面に表示する（Ｓ１０４）。具体的には、閲覧者が検索された時点で（図３（ｂ））、変身中である旨の画像を表示画面に表示し（図示省略）、加工画像が生成された時点で（例えば２〜３秒後）、その加工画像を表示画面に表示する（図３（ｃ））。なお、画像内の人物からヘア部分を特定して色を加工する処理自体は周知である。
【００３２】
また、制御装置１７は、図３（ｃ）に示すように、この加工画像とともに、ヘアシミュレーションを開始するためのスタートボタンＢを表示画面に表示することで、閲覧者に対してヘアシミュレーションを促す。
【００３３】
続いて、制御装置１７は、閲覧者により開始操作（スタートボタンＢをタッチする操作）が行われたか否かを判定する（Ｓ１０５）。本実施形態では、加工画像を表示してから一定時間（例えば数秒）が経過しても開始操作が行われない場合に、開始操作が行われなかったと判定して（Ｓ１０５：ＮＯ）、Ｓ１０２へ戻る。なお、本実施形態では、閲覧者が検索されてからスタートボタンＢを表示画面に表示するようにしているが、閲覧者が検索されない状態においてもスタートボタンＢを表示し、撮影画像から閲覧者が検索されなかった場合にも（Ｓ１０３：ＮＯ）、Ｓ１０５へ移行するようにしてもよい。
【００３４】
一方、制御装置１７は、開始操作が行われたと判定した場合には（Ｓ１０５：ＹＥＳ）、使用者（開始操作を行った者）のヘアシミュレーションを開始するため、コース選択画面を表示画面に表示する（Ｓ１０６）。具体的には、本実施形態のヘアシミュレーション装置１０は、次の３つのコースでヘアシミュレーションを実行可能となっており、これら３つのコースの中から、使用者が希望するコースを選択させる。
【００３５】
（１）使用者自身のヘアスタイルで髪色を選択可能なマイヘアモード。
（２）使用者自身のヘアスタイルとは異なるヘアスタイル及び髪色を選択可能なマイセレクトモード。
【００３６】
（３）髪色及びヘアスタイルの選択候補の中から使用者に合ったものを選択するための判断基準となる情報を使用者に入力させ、入力された情報に従い絞り込んだ選択候補を使用者に提示するコンシェルジュモード。
【００３７】
そして、制御装置１７は、コース選択画面でマイヘアモードが選択された場合には（Ｓ１０７：マイヘア）、Ｓ１０８〜Ｓ１１２の処理を行う。
すなわち、マイヘアモードが選択されると、制御装置１７は、まず、撮影画像を表示画面に表示するとともに、その撮影画像上に、画像の加工に適した位置及び向きで使用者を撮影するためのガイド（例えば、適切な頭部位置を示す輪郭線）を表示画面に表示する。そして、使用者による操作に基づくタイミングで（例えば、表示画面に表示した撮影ボタンが押されてから３秒後に）使用者を撮影する（Ｓ１０８）。なお、撮影画像から顔認識処理により顔が認識できない場合（撮影エラーの場合）や、使用者が撮り直しを希望した場合には、再度撮影するようにしてもよい。
【００３８】
続いて、制御装置１７は、記憶装置１３にあらかじめ記憶されている複数の髪色の選択候補を表示画面に表示して、その中の１つを使用者に選択させる。そして、撮影画像における使用者の髪色を、選択された髪色に加工した加工画像を生成し、生成した加工画像（静止画）を表示画面に表示する（Ｓ１０９）。なお、本実施形態では、複数のメニュー設定が可能であり、例えば、マイヘアモードにおける髪色の選択方法として、（Ａ）好きな色を選ぶ、（Ｂ）人気色から選ぶ、（Ｃ）あなたに似合う色から選ぶ、の３つメニューを用意することができる。そして、使用者が上記（Ａ）を選択した場合、あらかじめ記憶されているすべての髪色を選択候補とする。また、使用者が上記（Ｂ）を選択した場合、あらかじめ記憶されているすべての髪色のうち、人気色である複数の髪色を選択候補とする。一方、使用者が上記（Ｃ）を選択した場合、使用者の肌の色及び明るさ、並びに瞳の色等を問診する問診画面を表示してこれらの情報を使用者に入力させ、あらかじめ記憶されているすべての髪色のうち、問診結果に基づき絞り込んだ髪色を選択候補とする。
【００３９】
続いて、制御装置１７は、加工画像を補正するためのエンタメ画面を表示画面に表示する（Ｓ１１０）。このエンタメ画面では、使用者の好みに応じて、加工画像の目を大きく補正したり、肌の色を白く（又は黒く）補正したりすることができる。
【００４０】
続いて、制御装置１７は、選択された髪色に関連するヘアカラー商品の情報（画像、商品名、商品説明等）を表示画面に表示する（Ｓ１１１）。
続いて、制御装置１７は、ヘアシミュレーションの結果に関する情報を使用者の携帯電話機へ送信するための送信画面を表示画面に表示する（Ｓ１１２）。この送信画面では、情報を携帯電話機へ送信するか否か、送信する場合にはその送信方法として、無線通信（本実施形態ではＦｅｌｉＣａ）及び赤外線通信のいずれで送信するか、を選択することができる。そして、選択された内容に応じて送信操作を誘導する画面を表示する。なお、ヘアシミュレーションの結果に関する情報としては、生成した加工画像の他、前述したヘアカラー商品の情報などが挙げられる。
【００４１】
以上で、マイヘアモードのヘアシミュレーションが終了となるため、終了画面を表示した後、Ｓ１０２へ戻る。
一方、制御装置１７は、コース選択画面でマイセレクトモードが選択された場合には（Ｓ１０７：マイセレクト）、Ｓ１１３〜Ｓ１１８の処理を行う。ここで、Ｓ１１４以外の処理は、マイヘアモードの処理（Ｓ１０８〜Ｓ１１２）と同様であるため、重複する内容については説明を簡略化する。
【００４２】
すなわち、マイセレクトモードが選択されると、制御装置１７は、まず使用者を撮影する（Ｓ１１３）。
続いて、制御装置１７は、記憶装置１３にあらかじめ記憶されている複数のヘアスタイルの選択候補を表示画面に表示して、その中の１つを使用者に選択させる。そして、撮影画像における使用者のヘアスタイルを、選択されたヘアスタイルに加工した加工画像を生成し、生成した加工画像（静止画）を表示画面に表示する（Ｓ１１４）。
【００４３】
続いて、制御装置１７は、髪色の選択候補を表示画面に表示して使用者に選択させ、Ｓ１１４で生成した加工画像における使用者の髪色を、選択された髪色に加工した加工画像を生成し、生成した加工画像（静止画）を表示画面に表示する（Ｓ１１５）。
【００４４】
続いて、制御装置１７は、エンタメ画面を表示して加工画像の補正を促し（Ｓ１１６）、選択された髪色に関連するヘアカラー商品の情報を表示した後（Ｓ１１７）、送信画面を表示して情報の送信を促す（Ｓ１１８）。
【００４５】
以上で、マイセレクトモードのヘアシミュレーションが終了となるため、終了画面を表示した後、Ｓ１０２へ戻る。
一方、制御装置１７は、コース選択画面でコンシェルジュモードが選択された場合には（Ｓ１０７：コンシェルジュ）、Ｓ１１９〜Ｓ１２５の処理を行う。ここで、Ｓ１２０以外の処理は、マイセレクトモードの処理（Ｓ１１３〜Ｓ１１８）と同様であるため、重複する内容については説明を簡略化する。
【００４６】
すなわち、コンシェルジュモードが選択されると、制御装置１７は、まず使用者を撮影する（Ｓ１１９）。
続いて、制御装置１７は、使用者の顔の形、肌の色及び明るさ、並びに瞳の色等を問診する問診画面を表示して、これらの情報を使用者に入力させる（Ｓ１２０）。
【００４７】
続いて、制御装置１７は、記憶装置１３にあらかじめ記憶されているすべてのヘアスタイルの選択候補のうち、問診結果に基づき絞り込んだ選択候補を表示画面に表示して、その中の１つを使用者に選択させる。そして、撮影画像における使用者のヘアスタイルを、選択されたヘアスタイルに加工した加工画像を生成し、生成した加工画像（静止画）を表示画面に表示する（Ｓ１２１）。なお、記憶装置１３に記憶されているヘアスタイル及び髪色は、それに適した顔の形、肌の色及び明るさ、並びに瞳の色等とあらかじめ対応づけられており、この対応関係に従い選択候補が絞り込まれる。
【００４８】
続いて、制御装置１７は、記憶装置１３にあらかじめ記憶されているすべての髪色の選択候補のうち、問診結果に基づき絞り込んだ選択候補を表示画面に表示して、その中の１つを使用者に選択させる。そして、Ｓ１２１で生成した加工画像における使用者の髪色を、選択された髪色に加工した加工画像を生成し、生成した加工画像（静止画）を表示画面に表示する（Ｓ１２２）。
【００４９】
続いて、制御装置１７は、エンタメ画面を表示して加工画像の補正を促し（Ｓ１２３）、選択された髪色に関連するヘアカラー商品の情報を表示した後（Ｓ１２４）、送信画面を表示して情報の送信を促す（Ｓ１２５）。
【００５０】
以上で、コンシェルジュモードのヘアシミュレーションが終了となるため、終了画面を表示した後、Ｓ１０２へ戻る。
なお、以上の処理において、制御装置１７は、使用者の操作を、表示画面だけでなく音声によっても促す。
【００５１】
以上説明したように、本実施形態のヘアシミュレーション装置１０は、開始操作を契機に（Ｓ１０５：ＹＥＳ）、撮影画像における使用者の髪色やヘアスタイルを使用者の操作に基づき加工して表示画面に表示するヘアシミュレーションを実行する（Ｓ１０６〜Ｓ１２５）。そして、ヘアシミュレーションを実行していない状態において、表示画面を閲覧している閲覧者を撮影画像から検索し（Ｓ１０２）、閲覧者が検索されたことを契機に（Ｓ１０３：ＹＥＳ）、その撮影画像における閲覧者の髪色を加工した加工画像を生成し、生成した加工画像を表示画面に表示する（Ｓ１０４）。
【００５２】
このようなヘアシミュレーション装置１０によれば、ヘアシミュレーションを実行していない状態において、閲覧者の加工画像が表示画面に表示されるため、閲覧者の興味を喚起することができ、その結果、ヘアシミュレーションの使用を促すことができる。また、閲覧者の検索中は撮影画像を表示画面に表示するため、表示画面に何も表示しない場合や固定の情報を表示する場合と比較して、表示画面が閲覧されやすくなるという効果が得られる。特に、位置及び内容が経時的に変化するキャラクタ画像Ｃを撮影画像上に重畳して表示するため、単に撮影画像を表示する場合と比較して、表示画面が更に閲覧されやすくなるという効果が得られる。しかも、閲覧者の髪色を加工するため、ヘアスタイルを加工する場合に比べて処理負荷を低減することができる。
【００５３】
一方、本実施形態のヘアシミュレーション装置１０では、カメラ１２の撮影画像から周知の顔認識処理により閲覧者を検索するようにしているため（Ｓ１０２）、閲覧者を容易に検索することができる。
【００５４】
また、本実施形態のヘアシミュレーション装置１０では、使用者により行われた操作の情報をタッチパネルで入力するため、使用者が直感的に操作しやすくすることができる。
さらに、本実施形態のヘアシミュレーション装置１０では、マイヘアモード、マイセレクトモード及びコンシェルジュモードの３つのコースの中から、使用者が希望するコースを選択することができるため（Ｓ１０７）、各コースを別々の装置で行う場合と比較して、利便性を向上させることができる。特に、コンシェルジュモードでは、髪色及びヘアスタイルの選択候補の中から使用者に合ったものを選択するための判断基準となる情報を使用者に入力させ（Ｓ１２０）、入力された情報に従い絞り込んだ選択候補を使用者に提示する（Ｓ１２１，Ｓ１２２）。このため、使用者が髪色やヘアスタイルの選択に迷う場合にも、使用者に適した選択を行わせることができる。
【００５５】
また、本実施形態のヘアシミュレーション装置１０によれば、ヘアシミュレーションの結果に関する情報を使用者の携帯電話機へ送信することができるため（Ｓ１１２，Ｓ１１８，Ｓ１２５）、使用者は、シミュレーション結果に関する情報を携帯電話機でいつでも確認することができる。
【００５６】
なお、タッチパネル付表示装置１１が入力手段及び表示手段に相当し、カメラ１２が撮影手段に相当し、制御装置１７が制御手段に相当する。そして、Ｓ１０２の処理が検索処理（検索制御手段としての処理）に相当し、Ｓ１０４の処理が加工画像自動表示処理（加工画像自動表示制御手段としての処理）に相当し、Ｓ１０６〜Ｓ１２５の処理がシミュレーション処理（シミュレーション制御手段としての処理）に相当する。
【００５７】
以上、本発明の実施形態について説明したが、本発明は、上記実施形態に限定されることなく、種々の形態を採り得ることは言うまでもない。
（１）上記実施形態では、ヘアシミュレーションを実行していない状態において、キャラクタ画像Ｃが表示画面において所定のパターンで移動するようにしているが（Ｓ１０２）、撮影画像の内容（例えば人の動きなど）に応じたパターンで変化するようにしてもよい。例えば、カメラ１２の前を人が通行した場合に、花びらが舞うような画像を表示してもよい。また、音声によって閲覧を促すようにしてもよい。
【００５８】
（２）上記実施形態では、ヘアシミュレーションを実行していない状態において、撮影画像から検索された閲覧者の髪色をあらかじめ決められた色に加工した加工画像（静止画）を生成して表示画面に表示するようにしているが（Ｓ１０４）、これに限定されるものではない。例えば、あらかじめ決められた色に代えて、ランダムな色に加工してもよい。また、静止画に代えて、撮影画像における閲覧者の髪色を即時に加工することで動画として表示するようにしてもよい。
【００５９】
（３）上記実施形態では、記憶装置１３に記憶されているヘアスタイルや髪色が、それに適した顔の形、肌の色及び明るさ、並びに瞳の色といった情報とあらかじめ対応づけられており、この対応関係に従い、問診結果に応じた選択候補の絞り込みを実現している。しかしながら、こうした対応関係は固定である必要はなく、例えば、季節や時間帯など、変化する情報に応じて対応関係を変更するようにしてもよい。
【００６０】
（４）上記実施形態では、生成した加工画像やヘアカラー商品の情報を携帯電話機へ送信できるようにしているが（Ｓ１１２，Ｓ１１８，Ｓ１２５）、加工画像に代えて、髪色やヘアスタイルの情報を送信するようにすれば、送信するデータ量を小さくすることが可能となる。また、ヘアカラー商品の情報として、製造会社や販売業者のウェブページのＵＲＬを送信すれば、携帯電話機からヘアカラー商品の詳細を確認したり、購入したりすることができる。また、ヘアカラー商品の使用方法の動画データを送信するようにしてもよい。
【符号の説明】
【００６１】
１０…ヘアシミュレーション装置、１１…タッチパネル付表示装置、１２…カメラ、１３…記憶装置、１４…音声出力装置、１５…無線通信ポート、１６…赤外線通信装置、１７…制御装置
【図１】
0005623935.tif 000002
【図２】
0005623935.tif 000003
【図３】
0005623935.tif 000004